(57)【要約】    【課題】軽量かつ柔軟で身体に対するフィット性に優れ、且つ通気性にも優れ、しかも必要に応じて着脱が簡単にできる腰部保護パッドを提供する。    【解決手段】腰部の背面中央近傍に当てる腰部保護パッド（１）を、可撓性を有する平板状をなす基部（２）と、該基部の一方の面における装着時に脊柱に対向する部位および左右の脊柱起立筋の外側から仙骨の周囲にかけて対向する部位に突設された弾力性に富む素材からなる凸部（３ａ・３ｂ）とを備えるものとする。【選択図】図１
2005281935.tif 000002
【特許請求の範囲】
【請求項１】
腰部の背面中央近傍に当てる腰部保護パッドであって、
可撓性を有する平板状をなす基部と、該基部の一方の面における装着時に脊柱に対向する部位および左右の脊柱起立筋の外側から仙骨の周囲にかけて対向する部位に突設された弾力性に富む素材からなる凸部とを備えることを特徴とする腰部保護パッド。
【請求項２】
前記凸部は、分断された複数の部分からなることを特徴とする請求項１に記載の腰部保護パッド。
【請求項３】
前記基部および凸部は、発泡樹脂材或いはゲル状物質を織布或いは不職布でくるんだ上で金型で挟んで加熱して一体成型されたものであることを特徴とする請求項１若しくは２に記載の腰部保護パッド。
【発明の詳細な説明】
【技術分野】
【０００１】
本発明は、腰部に加わる外力を緩和するために用いる腰部保護パッドに関するものである。
【背景技術】
【０００２】
例えば、建築工事や電気工事などで使用する工具を吊り下げるベルトや、ウエストポーチと呼ばれる小物入れを一体化したベルトを腰に装着した場合、或いはリュックサックなどを背負った場合に、荷物の重量が加わってベルト或いはリュックサックのエッジ部などが腰部に突き当たり、肌に食い込んだり擦れたりすることがある。このようなことが長時間続くと耐えられない苦痛となる。
【０００３】
こうした苦痛を与えられないようにする方策としては、装具の装着部位に弾性パッドを介装することで装具が肌に食い込んだり擦れたりしないようにすることが一般的である（特許文献１を参照されたい）。また、腰部を外力から保護するものとしては、ベルト状のサポータが種々提案されている（特許文献２を参照されたい）。
【特許文献１】特開２００２−１１０２７号公報
【特許文献２】特開平６−７８９４３号公報
【発明の開示】
【発明が解決しようとする課題】
【０００４】
しかるに、特許文献１、２に記載された如き従来のものの多くは、主に腰部の筋力の衰えを補助したり姿勢を矯正したりするためのコルセットとしての役割を重視したものであり、通気性に欠けるために装着中に蒸れることがあった。特に腰痛対策サポータとして構成されたものは、姿勢矯正のために腰部後背面に対応する部位に金属や合成樹脂などの硬質部材が使用されることが一般的であり、これらが局部的に食い込んだり突き当たったりして違和感を与えることが避けられず、必ずしも快適な装着感が得られるものではなかった。
【課題を解決するための手段】
【０００５】
このような従来技術の問題点に鑑み、長時間の着用や外力が加わる状況でも違和感を与えることがないように、軽量かつ柔軟で身体に対するフィット性に優れ、且つ通気性にも優れ、しかも必要に応じて着脱が簡単にできる腰部保護パッドを提供するために、本発明の請求項１は、腰部の背面中央近傍に当てる腰部保護パッド（１）を、可撓性を有する平板状をなす基部（２）と、該基部の一方の面における装着時に脊柱に対向する部位および左右の脊柱起立筋の外側から仙骨の周囲にかけて対向する部位に突設された弾力性に富む素材からなる凸部（３ａ・３ｂ）とを備えることを特徴とするものとした。
【０００６】
また本発明の請求項２は、前記凸部を、分断された複数の部分からなるものとした。
【０００７】
さらに本発明の請求項３は、前記基部および凸部を、発泡樹脂材或いはゲル状物質を織布或いは不職布でくるんだ上で金型で挟んで加熱して一体成型するものとした。
【発明の効果】
【０００８】
このような本発明の請求項１によれば、身体の凹凸にフィットして高いクッション性が得られると共に装着する物品は平坦面に当接するので、滑り止め作用並びに緩衝作用が得られる。また、本発明の請求項２によれば、分断された凸部同士間の隙間によって通気作用が得られることから、装着感の快適性を高める上に効果的である。さらに本発明の請求項３によれば、パッドを単体として容易に成型し得るので、取り扱いが簡便であり、高い汎用性が得られる。
【発明を実施するための最良の形態】
【０００９】
以下に添付の図面を参照して本発明について詳細に説明する。
【００１０】
図１は、本発明に基づき構成された腰部保護パッドの正面から見た代表的な形態を示している。この腰部保護パッド１は、各辺が外向きに湾曲した概ね逆三角形の平板状をなす基部２と、基部２の一方の面に突設された複数の凸部３ａ・３ｂとからなっている。複数の凸部３ａ・３ｂは、基部２の左右方向の中央部と両側部とに、互いに適宜な隙間４をおいて隣接配置されており、個々の凸部の正面から見た輪郭形状は、中央部のもの２ａが略方形をなし、両側部のもの３ｂは方形を基本として基部２の外形輪郭に合わせた湾曲形状をなしている。またその側方から見た断面形状は、図２に示したように、概ね半楕円形をなしている。
【００１１】
これらの基部２および凸部３ａ・３ｂは、図３に示すように、例えば軟質な発泡ポリウレタン樹脂材、或いはゲル状物質などの弾力性に富む素材５を、伸縮性に富む織布或いは不織布からなる表皮材６ａ・６ｂでくるみ、金型で挟んで加熱することで一体成型されている。
【００１２】
基部２の寸法は、厚さが３〜７mm、幅が２１０〜２６０mm、高さが１６０〜２２０mmの範囲が適当である。また凸部３ａ・３ｂの基部表面からの突出寸法は、１５〜３０mmの範囲が適当である。
【００１３】
この腰部保護パッド１は、図４及び図５に示すように、腰部の背面に当てて用いるが、この際、凸部３ａ・３ｂが突出した面を身体側に、平坦な面を腰部に装着される物品（ウエストポーチ他）の側に向けて配置する。図示の位置に装着すると、脊柱１１の中心、および左右の脊柱起立筋の外側から仙骨１２の周辺にかけて対向する部位に凸部３ａ・３ｂが対向することになる。また左右の脊柱起立筋および仙骨などの身体表面の比較的出っ張った部位には、基部２の表面が対向することとなる。
【００１４】
この位置に腰部保護パッド１を装着することにより、腰部背面中央近傍に対向する部位に金属や樹脂などの硬質部材による支持部材が使用されたウエストニッパやウエストベルトを長時間装着したり、工具吊り下げベルトや歩行補助装置など、腰部に重力が加わる装具などを装着したりした場合に、腰部保護パッド１が身体の凹凸にフィットすることによる滑り止め作用と、凸部３ａ・３ｂの弾力性による緩衝作用とによって装着安定性が増すと共に、複数の凸部３ａ・３ｂ同士の隙間４によって通気作用が得られるので、快適な装着感を得ることができる。
【００１５】
凸部３ａ・３ｂの正面から見た輪郭形状は、図６に示すような円形、或いは楕円形などでも良いし、側断面の輪郭形状は、図７に示すような台形などでも良い。
【００１６】
基部２と各凸部３ａ・３ｂとは、図３に示したような共に同一の素材５で成型するばかりでなく、図７に示したように、互いに異なる素材を重ね合わせて成型し、例えば凸部３ａ・３ｂの素材５よりも基部２の素材７を幾分か堅めにしても良いし、図８に示すように、合成樹脂製の薄い平板を芯板８として凸部３ａ・３ｂに裏打ちした形態としても良い。
【００１７】
なお、仙骨１２に対向する部位については、パッドの材質の選定、或いはその使用の状況（特に重量物運搬に対応する要望が強い場合や、硬い部分が仙骨の頂部に当たりやすい場合など）によっては、仙骨１２の周囲に対向する部位を凸部にするばかりでなく、図９及び図１０に示すように、基部２の表面からさらに窪ませた凹部９を形成するようにしても良い。
【図面の簡単な説明】
【００１８】
【図１】本発明による腰部保護パッドの代表例を示す正面図である。
【図２】図１におけるII−II線に沿う断面図である。
【図３】腰部保護パッドの要部拡大断面図である。
【図４】身体への装着状態を示す背面図である。
【図５】身体への装着状態を示す側面図である。
【図６】本発明による腰部保護パッドの第１の変形例を示す正面図である。
【図７】第２の変形例の要部断面図である。
【図８】第３の変形例の要部断面図である。
【図９】第４の変形例の正面図である。
【図１０】図９におけるX−X線に沿う断面図である。
【符号の説明】
【００１９】
１  腰部保護パッド
２  基部
３ａ・３ｂ  凸部
４  隙間
５  素材
６ａ・６ｂ  表皮材
【図１】
2005281935.tif 000003
【図２】
2005281935.tif 000004
【図３】
2005281935.tif 000005
【図４】
2005281935.tif 000006
【図５】
2005281935.tif 000007
【図６】
2005281935.tif 000008
【図７】
2005281935.tif 000009
【図８】
2005281935.tif 000010
【図９】
2005281935.tif 000011
【図１０】
2005281935.tif 000012